(57)【特許請求の範囲】
【請求項１】
水が連続的に供給される水路に接続される管と、冷媒を圧縮して液化する圧縮機及び液化された冷媒を蒸発させて前記管内を流れる水を冷却する蒸発器を含む冷凍回路とを備えた冷水機において、
前記管の上流側に介装されて前記水路から供給される水の圧力を減圧して出力側の水の圧力を所定の圧力に安定させる減圧弁と、
前記管における前記減圧弁の下流側に介装されて開度を変更することにより前記管内を流れる水の流量を調整する電動弁と、
前記電動弁の開度を、予め決められた不連続な複数段階の開度のうちのいずれか一つの開度に設定するための開度設定スイッチと、
前記複数段階の開度にそれぞれ対応し、前記電動弁の開度を前記複数段階の開度にそれぞれ設定するための複数の開度制御データを記憶した開度制御データ記憶手段と、
前記開度設定スイッチの操作により設定された開度に対応した開度制御データを前記開度制御データ記憶手段から読み出して、前記読み出した開度制御データを用いて前記電動弁の開度を前記開度設定スイッチの操作により設定された開度に設定する開度設定制御手段と
を設けたことを特徴とする冷水機。
【請求項２】
請求項１に記載の冷水機において、さらに、
前記蒸発器によって水が冷却される位置よりも下流位置において前記管に組付けられ、前記蒸発器によって冷却されて前記管から外部に取り出される水の温度を冷水温度として検出する冷水温度センサと、
前記冷水温度センサによって検出された冷水温度が所定の低い第１温度未満になったとき、前記電動弁の開度を１段階大きく設定制御する開度変更手段と
を設けたことを特徴とする冷水機。
【請求項３】
請求項２に記載の冷水機において、さらに、
前記開度変更手段によって電動弁の開度が１段階大きく設定制御された後に、所定の時間が経過しても、前記冷水温度センサによって検出された冷水温度が前記所定の低い第１温度から上昇したことが検出されないとき、前記冷水機の作動を停止させる第１停止出手段
を設けたことを特徴とする冷水機。
【請求項４】
請求項２又は３に記載の冷水機において、さらに、
表示器と、
前記冷水温度センサによって検出された水の温度を前記表示器に継続的に表示させる水温表示制御手段と、
前記開度設定スイッチの操作により前記電動弁の開度が設定されているとき、前記表示器に、水の温度に代えて前記電動弁の開度を表示させる開度表示制御手段と
を設けたことを特徴とする冷水機。
【請求項５】
請求項１乃至４のうちのいずれか一つに記載の冷水機において、さらに、
前記蒸発器によって水が冷却される位置よりも上流位置において前記管に組付けられ、前記蒸発器によって冷却される前の水の温度を給水温度として検出する給水温度センサと、
前記給水温度センサによって検出された給水温度が所定の低い第２温度未満であるとき、冷水機の作動を停止させる第２停止手段
を設けたことを特徴とする冷水機。
【請求項６】
請求項１乃至５のうちのいずれか一つに記載の冷水機において、さらに、
前記管内を流れる水の流量を検出する流量センサと、
前記流量センサによって検出された水の流量が所定の小さな流量未満であるとき、冷水機の作動を停止させる第３停止手段と
を設けたことを特徴とする冷水機。
【請求項７】
請求項１乃至６のうちのいずれか一つに記載の冷水機において、さらに、
前記開度設定スイッチの操作により設定された開度を記憶して冷水機の作動停止後も前回開度として記憶しておく設定開度記憶手段と、
冷水機の新たな作動開始時に前記設定開度記憶手段に記憶されている前回開度を読み出して、冷水機の新たな作動開始後の電動弁の設定開度として利用可能とする前回開度読み出し手段と
を設けたことを特徴とする冷水機。
【請求項８】
請求項１乃至７のうちのいずれか一つに記載の冷水機において、さらに、
冷水機の作動時間を設定するためのタイマスイッチと、
冷水機の作動開始から前記タイマスイッチによって設定された作動時間の経過を計測して、冷水機の作動を停止させる第４停止手段と、
前記タイマスイッチの操作により設定された作動時間を記憶して冷水機の作動停止後も前回時間として記憶しておく設定時間記憶手段と、
冷水機の新たな作動開始時に前記設定時間記憶手段に記憶されている前回時間を読み出して、新たな作動開始後の冷水機の作動時間として利用可能とする前回時間読み出し手段と
を設けたことを特徴とする冷水機。
【発明の詳細な説明】
【技術分野】
【０００１】
本発明は、製菓、製パンなどにおける粉の練り水、食品の冷却又は洗浄用の水、飲食店における飲料水などに利用するために、外部から取り込んだ水を所望の温度に冷却して供給する冷水機に関する。
【背景技術】
【０００２】
従来から、例えば水道水のように外部から連続して供給される水を、圧縮機、凝縮器、膨張バルブ及び蒸発器からなる冷凍回路で冷却して、冷却した水を外部へ連続して供給するようにした冷水機はよく知られている。そして、この種の冷水機においては、例えば下記特許文献１に示されているように、外部へ供給される冷水の温度を所望の設定温度に保つために、外部へ供給される冷水の温度（冷水温度）又は外部から供給される給水の温度（給水温度）を検出し、この検出した冷水温度又は給水温度と前記設定温度との差に応じて、外部へ供給される冷水の量を制御し、又は圧縮機の出力を制御することにより、外部へ供給される冷水の温度が設定温度になるようにしている。
【先行技術文献】
【特許文献】
【０００３】
【特許文献１】特開２００１−３２４２５５号公報
【発明の概要】
【０００４】
この冷水機においては、冷水流量制御手段を用いて外部に供給される冷水の量を制御したり、給水温度制御手段を用いて圧縮機の出力を制御したりすることにより、外部へ供給される冷水の温度が設定温度になるようにしている。このため、前述した従来の冷水機では、複雑な制御装置が必要になり、冷水機として、小型で、処理能力が小さく、かつ安価なものを用いる場合には適していない。
【０００５】
本発明は上記問題に対処するためなされたもので、その目的は、簡単な制御装置を備え、小型で、処理能力が小さく、かつ安価につく冷水機を提供することにある。なお、下記本発明の構成において、実施形態の対応する部分の符号を括弧内に例示的に示すが、これは本発明の構成を限定するものではない。
【０００６】
上記目的を達成するために、本発明の特徴は、水が連続的に供給される水路（４０）に接続される管（１１）と、冷媒を圧縮して液化する圧縮機（２１）及び液化された冷媒を蒸発させて管内を流れる水を冷却する蒸発器（２４）を含む冷凍回路（２０）とを備えた冷水機において、管の上流側に介装されて水路から供給される水の圧力を減圧して出力側の水の圧力を所定の圧力に安定させる減圧弁（１２）と、管における減圧弁の下流側に介装されて開度を変更することにより管内を流れる水の流量を調整する電動弁（１３）と、電動弁の開度を、予め決められた不連続な複数段階の開度のうちのいずれか一つの開度に設定するための開度設定スイッチ（３４ａ，３４ｂ）と、前記複数段階の開度にそれぞれ対応し、電動弁の開度を前記複数段階の開度にそれぞれ設定するための複数の開度制御データを記憶した開度制御データ記憶手段（３２ｂ，３２ｅ）と、開度設定スイッチの操作により設定された開度に対応した開度制御データを開度制御データ記憶手段から読み出して、前記読み出した開度制御データを用いて電動弁の開度を前記開度設定スイッチの操作により設定された開度に設定する開度設定制御手段（Ｓ３６，Ｓ１１４）とを設けたことにある。
【０００７】
上記のように構成した本発明においては、作業者は、開度設定スイッチを操作することにより、電動弁の開度を、予め決められた不連続な複数段階の開度のうちのいずれか一つの開度に設定する。そして、開度設定制御手段が、前記設定された開度に対応した開度制御データを用いて、電動弁の開度を前記設定された開度に設定制御する。これにより、作業者は、電動弁の開度を大きくしたり小さくしたりすることができる。また、開度設定スイッチを用いて行われる開度の段階的な設定は、電動弁すなわち管内を通過する水の流量を段階的に変更することを意味する。したがって、冷水温度を上昇させるときには、電動弁の開度を大きくし、冷水温度を下降させるときには、電動弁の開度を小さくする。このため、例えば、電動弁の開度を水の流量に対応させて１０段階に区分して、各段階を１〜１０の数値で示し、開度設定スイッチを用いて開度を各段階を示す数値に設定すると、管内を通過する水の流量は、略その数値が示す開度に応じた量になる。
【０００８】
このように動作する本発明に係る冷水機によれば、簡単な操作で、好適な温度の冷水を取り出すことができる。また、管における電動弁の上流側には、減圧弁が設けられており、この減圧弁によって水路から供給される水の圧力は、管内で所定の低圧になって安定する。このため、電動弁は、安定した圧力で送られてくる水の流量を的確かつ段階的に調整することができるようになり、水温の調整が簡単かつ的確にできるようになる。また、開度設定制御手段は、電動弁の開度の調整を開度制御データを用いて段階的に行うため、開度設定制御手段を簡単に構成することができ、冷水機が安価につく。
【０００９】
また、本発明の他の特徴は、蒸発器によって水が冷却される位置よりも下流位置において管に組付けられ、蒸発器によって冷却されて管から外部に取り出される水の温度を冷水温度として検出する冷水温度センサ（１５）と、冷水温度センサによって検出された冷水温度が所定の低い第１温度未満になったとき、電動弁の開度を１段階大きく設定制御する開度変更手段（Ｓ７０，Ｓ８２）とを設けたことにある。この場合、前記所定の低い第１温度は、例えば５℃程度の低い温度である。
【００１０】
本発明においては、通常は、作業者が、開度設定スイッチを操作することにより、電動弁の開度を設定する。しかしながら、管内を流れる冷水の冷水温度が低下して所定の低い第１温度未満になっても、作業者が気づかずに開度設定スイッチを操作しない場合もある。このようなときに、本発明の他の特徴によれば、開度変更制御手段が電動弁の開度を１段階大きくすることにより、水の流量を多くして冷水温度を上昇させる。これにより、冷水温度が低くなり過ぎて、冷水機に支障が生じることを自動的に防止できる。
【００１１】
また、本発明の他の特徴は、開度変更手段によって電動弁の開度が１段階大きく設定制御された後に、所定の時間が経過しても、冷水温度センサによって検出された冷水温度が所定の低い第１温度から上昇したことが検出されないとき、冷水機の作動を停止させる第１停止出手段（Ｓ８６，Ｓ８８，Ｓ９２，Ｓ１００）を設けたことにある。このように冷水温度が所定の低い第１温度から上昇しないことは、電動弁に故障が生じたり、水路に断水が生じたりして、電動弁の設定開度に応じた水の供給ができなくなった場合に生じるものである。そして、このような場合には、第１停止手段により冷水機の作動が停止されるので、冷水機に異常が発生したまま冷水機が作動し続けることを防止できる。
【００１２】
また、本発明の他の特徴は、表示器（３７）と、冷水温度センサによって検出された水の温度を表示器に継続的に表示させる水温表示制御手段（Ｓ６８）と、開度設定スイッチの操作により電動弁の開度が設定されているとき、表示器に、水の温度に代えて電動弁の開度を表示させる開度表示制御手段（Ｓ２０２）とを設けたことにある。この本発明の他の特徴によれば、作業者は、冷水機の作動中に、表示器を見ることにより、冷水機の冷水温度を確認することができる。また、開度設定スイッチで開度を設定しているときには、表示器を見ることにより、電動弁の開度も確認できる。したがって、冷水温度を確認したうえで、電動弁の開度を見ながら開度設定スイッチを操作することができ、開度の設定操作がし易くなる。
【００１３】
また、本発明の他の特徴は、蒸発器によって水が冷却される位置よりも上流位置において管に組付けられ、蒸発器によって冷却される前の水の温度を給水温度として検出する給水温度センサ（１４）と、給水温度センサによって検出された給水温度が所定の低い第２温度未満であるとき、冷水機の作動を停止させる第２停止手段（Ｓ５０，Ｓ６２）を設けたことにある。この場合、前記所定の低い第２温度は、例えば８℃程度の低い温度である。この本発明の他の特徴によれば、水路から供給される水の温度が十分に低温で冷却する必要がない場合には、第２停止手段により、冷水機の作動が停止される。これにより、作業者は、冷水機を不必要に作動させることなく、水路から直接水を取り込んで使用することができるようになる。
【００１４】
また、本発明の他の特徴は、管内を流れる水の流量を検出する流量センサ（１６）と、流量センサによって検出された水の流量が所定の小さな流量未満であるとき、冷水機の作動を停止させる第３停止手段（Ｓ４６，Ｓ６２、Ｓ７２，Ｓ９２，Ｓ１００）とを設けたことにある。この所定の小さな流量は、例えば毎分０．７リットル程度の小さな流量である。このように、管内を流れる水の流量が所定の小さな流量未満になることは、電動弁に故障が生じたり、水路に断水が生じたりして、設定開度に応じた水の供給ができなくなった場合に生じる。したがって、このような異常が冷水機に発生した場合には、この本発明の他の特徴によれば、第３停止手段により冷水機の作動が停止されるので、冷水機に異常が発生したまま冷水機が作動し続けることを防止できる。
【００１５】
また、本発明の他の特徴は、開度設定スイッチの操作により設定された開度を記憶して冷水機の作動停止後も前回開度として記憶しておく設定開度記憶手段（３２ｅ，Ｓ１３０）と、冷水機の新たな作動開始時に設定開度記憶手段に記憶されている前回開度を読み出して、冷水機の新たな作動開始後の電動弁の設定開度として利用可能とする前回開度読み出し手段（Ｓ１２）とを設けたことにある。本発明の他の特徴によれば、冷水機を新たに作動させる度に、開度設定スイッチを操作して電動弁の開度を初期値から変更させて設定しなくても、前回作動させた条件又は前回作動させた条件と近い条件で、冷水機を再度簡単に作動させ易くなり、電動弁の開度の設定操作が簡単になる。
【００１６】
また、本発明の他の特徴は、冷水機の作動時間を設定するためのタイマスイッチ（３５）と、冷水機の作動開始からタイマスイッチによって設定された作動時間の経過を計測して、冷水機の作動を停止させる第４停止手段（Ｓ５６，Ｓ７８，Ｓ１１８，Ｓ１２８）と、タイマスイッチの操作により設定された作動時間を記憶して冷水機の作動停止後も前回時間として記憶しておく設定時間記憶手段（３２ｅ，Ｓ１３０）と、冷水機の新たな作動開始時に設定時間記憶手段に記憶されている前回時間を読み出して、新たな作動開始後の冷水機の作動時間として利用可能とする前回時間読み出し手段（Ｓ１２）とを設けたことにある。この本発明の他の特徴によれば、タイマスイッチ及び第４停止手段に作用により、冷水機を設定した任意の時間だけ作動させた後に、冷水機の作動を自動的に停止させることができる。また、設定時間記憶手段及び前回時間読み出し手段の作用により、冷水機を新たに作動させる度に、タイマスイッチを操作して冷水機の作動時間を初期値から変更させて設定しなくても、前回作動させた条件又は前回作動させた条件と近い条件で、冷水機を再度簡単に作動させ易くなり、冷水機の作動時間の設定操作が簡単になる。
【図面の簡単な説明】
【００１７】
【図１】本発明の一実施形態に係る冷水機の外観斜視図である。
【図２】図１に示した冷水機の全体構成を概略的に示すブロック図である。
【図３】図１に示した冷水機の操作パネルの正面図である。
【図４Ａ】図２の制御回路（ＣＰＵ）によって実行されるメインプログラムの先頭部分を示すフローチャートである。
【図４Ｂ】前記メインプログラムの中間部分を示すフローチャートである。
【図４Ｃ】前記メインプログラムの末尾部分を示すフローチャートである。
【図５】図４Ａ及び図４Ｃの開度設定ルーチンの詳細を示すフローチャートである。
【図６】図４Ａの時間設定ルーチンの詳細を示すフローチャートである。
【図７】電動弁の設定開度と水路を流れる流量との関係を説明するための表である。
【図８】外部から供給される水道水の圧力の時間的変化を示したグラフである。
【図９】季節毎の設定開度と冷水温度との関係を示した表である。
【発明を実施するための形態】
【００１８】
以下、本発明の一実施形態について図面を用いて説明する。図1は、本発明の一実施形態に係る冷水機の外観斜視図であり、図２は冷水機の全体構成を概略的に示したブロック図である。この冷水機は、シンクＳを備えた冷水機本体Ａの内部に、水回路１０、冷凍回路２０及び電気制御装置３０を備えている。水回路１０は、本発明に係る水路としての水道管４０に接続される管１１を有する。水道管４０は、地中に埋め込まれている部分（図示せず）と、地上に露出した部分とを有し、図２の矢印ａの方向に上水を連続的に冷水機に供給するようになっている。
【００１９】
管１１は、管１１内に導かれた上水を冷却する熱交換器５０（詳しくは後述する）を通過して、冷却された冷水を水回路１０の外部へ導くように配置されている。管１１には、熱交換器５０の上流位置にて減圧弁１２が介装され、熱交換器５０の下流位置にて電動弁１３が介装されている。減圧弁１２は、水道管４０を介して供給される上水を所定圧まで減圧する。すなわち、減圧弁１２は、水道管４０を介して供給される水の圧力を減圧して、出力側の水の圧力を所定の圧力に安定させる。電動弁１３は、バルブ開度を制御するための電動モータを内蔵し、バルブ開度の制御により管１１内を流れて水回路１０から外部へ取出される冷水の流量（単位時間当たりの水量）を制御する。管１１には、温度センサ１４，１５及び流量センサ１６も設けられている。
【００２０】
温度センサ１４は、本発明の給水温度センサに相当するもので、熱交換器５０と減圧弁１２の間の位置（すなわち熱交換器５０の上流位置）にて管１１に組付けられ、管１１内を流れて熱交換器５０で冷却される前の上水の温度を給水温度Ｔ１として検出する。温度センサ１５は、本発明の冷水温度センサに相当するもので、熱交換器５０と管１１の出水口部１１ａの間の位置（すなわち熱交換器５０の下流位置）にて管１１に組付けられ、熱交換器５０により冷却された後に管１１内を流れて外部に取出される冷水の温度を冷水温度Ｔ２として検出する。流量センサ１６は、熱交換器５０と減圧弁１２の間の位置にて管１１に介装され、管１１内を流れる水の流量Ｆを検出する。なお、管１１内を流れる水の流量は管１１のいずれの部分でも同一であるので、この流量センサ１６は、前記位置に限らず、管１１内のいずれの位置に介装してもよい。
【００２１】
冷凍回路２０は、圧縮機２１、凝縮器２２、キャピラリ２３及び蒸発器２４を配管２５により前記順に接続してなり、図示の矢印ｂの方向に冷媒を循環させる。圧縮機２１は、電動モータを内蔵し、電気制御装置３０により駆動制御されて、高温高圧の冷媒ガスを吐出する。凝縮器２２は、圧縮機２１から吐出された高温高圧の冷媒ガスを放熱液化して、キャピラリ２３に供給する。キャピラリ２３は、毛細管で構成されており、冷媒の圧力を低下させて所定の低圧に保つ。
【００２２】
蒸発器２４は、熱交換器５０内に配置され、供給された冷媒を蒸発させて熱交換器５０内に配置されている管１１の一部を冷却する。この場合、熱交換器５０内においては、管１１に対する蒸発器２４の接触面積がなるべく大きくなるように構成されており、例えば熱交換器５０内に配置された管１１の部分１１ｂを比較的長く構成するとともに、管１１の部分１１ｂの外周上に蒸発器２４の配管を何重にも巻き回すように構成されている。これにより、管１１内を流れる水は、熱交換器５０内にて蒸発器２４により冷却される。
【００２３】
電気制御装置３０は、操作パネル３１、制御回路３２及び駆動回路３３を備えている。操作パネル３１には、図３に示したように、出水止水スイッチ３４，アップスイッチ３４ａ、ダウンスイッチ３４ｂ、タイマスイッチ３５、取消スイッチ３６、表示器３７、冷却ランプ３８ａ及びタイマランプ３８ｂが配置されている。
【００２４】
出水止水スイッチ３４は、電動弁１３の開閉操作のためのものであり、押圧することにより電動弁１３が開閉して下流側に対する出水の状態と止水の状態とが変更される。また、圧縮機２１の作動中に出水止水スイッチ３４を押圧することにより圧縮機２１の作動は停止する。アップスイッチ３４ａ及びダウンスイッチ３４ｂは、本発明に係る開度設定スイッチを構成するもので、アップスイッチ３４ａは電動弁１３の開度を大きくするためのものであり、ダウンスイッチ３４ａは電動弁１３の開度を小さくするためのものである。アップスイッチ３４ａの表面には、「ＵＰ」の文字と三角形が示され、ダウンスイッチ３４ａの表面には、「ＤＯＷＮ」の文字と逆三角形が示されている。アップスイッチ３４ａ及びダウンスイッチ３４ｂの操作により、後述する図７に示した電動弁１３の設定開度が「１」から「１０」の範囲で変更される。
【００２５】
タイマスイッチ３５は、押圧操作されていくことにより、予め設定されたいくつかの時間のうちの一つを順次選択していく。この場合、例えば、５分、１０分、２０分・・・６０分等、１０分以降は１０分ずつ長くなる時間を設定しておき、タイマスイッチ３５を押圧していくことにより、いずれかの時間を選択して設定できるようにする。そして、選択された時間が最長時間になった後には、再度５分に戻るようにする。取消スイッチ３６は、タイマスイッチ３５の操作により設定された設定時間による動作を取り消すためのスイッチである。
【００２６】
表示器３７は、温度センサ１５が検出する冷水温度Ｔ２を表示するためのものであるが、アップスイッチ３４ａ及びダウンスイッチ３４ｂが操作されているときには、電動弁１３の開度に対応する値（図７に示した設定開度）を点滅表示し、タイマスイッチ３５が操作されているときには、設定時間の数値を点滅表示する。また、作業者に、アップスイッチ３４ａ、ダウンスイッチ３４ｂ及びタイマスイッチ３５を操作することを促す際には、複数の横線が断続的に横方向に並んだ待機画像（「−−−」）を表示し、管１１内を流れる水の流量が設定開度に応じた量にならないときや、水温が予め設定された範囲から外れたときには、エラー表示などをする。冷却ランプ３８ａは、ＬＥＤで構成されており、圧縮機２１が作動しているときに点灯して冷却運転中であることを示す。タイマランプ３８ｂも、ＬＥＤで構成されており、冷水機がタイマスイッチ３５によって設定された設定時間による動作状態に設定されているときに点灯して設定時間が経過中であることを示す。
【００２７】
制御回路３２は、ＣＰＵ３２ａ，ＲＯＭ３２ｂ，ＲＡＭ３２ｃ、時計回路３２ｄ、書込み可能な不揮発性メモリ３２ｅなどからなるコンピュータ装置により構成されていて、操作パネル３１の出水止水スイッチ３４、アップスイッチ３４ａ、ダウンスイッチ３４ｂ、タイマスイッチ３５、取消スイッチ３６、表示器３７、冷却ランプ３８ａ及びタイマランプ３８ｂに接続されるとともに、電動弁１３、温度センサ１４，１５、流量センサ１６及び駆動回路３３にも接続されている。
【００２８】
ＣＰＵ３２ａは、図４Ａ乃至図４Ｃに示すメインプログラム及び図５，６に示すサブルーチンのプログラムを実行する。ＲＯＭ３２ｂ又は不揮発性メモリ３２ｅは、前記プログラムを記憶している。また、ＲＯＭ３２ｂ又は不揮発性メモリ３２ｅには、開度制御データテーブルが用意されている。開度制御テーブルには、電動弁１３の開度を設定制御するための開度制御データであって、電動弁１３の不連続な複数段階の開度にそれぞれ対応した複数の開度制御データが記憶されている。この電動弁１３の開度は、作業者によるアップスイッチ３４ａ及びダウンスイッチ３４ｂの操作により切り換えられるもので、例えば図７に示すように、「１」〜「１０」の１０段階に切り換えられる。また、図７は、電動弁１３の「０」を含む複数段階の設定開度に対応して、電動弁１３を流れる流量をそれぞれ例示している。ＲＡＭ３２ｃは、前記プログラムの実行中、変数を一時的に記憶する。時計回路３２ｄは、時間を計測する。
【００２９】
前述した各装置を備えた冷水機本体Ａは、図１に示したように、４本の脚部１７を備えた矩形の箱状体で構成されており、上面に凹部からなるシンクＳが形成されている。そして、冷水機本体Ａの上面後部には、上方に延びる上壁部１８が形成されており、この上壁部１８の正面右側に操作パネル３１が表面を前方に向けて設置されている。また、管１１の下流側部分は、冷水機本体Ａの上面後部における左側の角部から上方に延びたのちに湾曲して下方に延びており、出水口部１１ａはシンクＳに対向している。そして、シンクＳの後壁上部には、オーバーフローした冷水を外部に放出するための放出口１９が形成されている。
【００３０】
次に、上記のように構成した冷水機の動作を説明する。この冷水機においては、図示しない電源スイッチを投入すると、ＣＰＵ３２ａは、図４Ａ乃至図４Ｃのメインプログラムの実行を開始する。このメインプログラムの実行は図４ＡのステップＳ１０にて開始され、ＣＰＵ３２ａは、ステップＳ１２にて初期設定処理を実行する。この初期設定処理においては、不揮発性メモリ３２ｅに記憶されていて電動弁１３の前回の開度及び冷水機の前回の作動時間を表すデータ値が、設定開度ＳＬ及び設定時間ＳＴとして設定される。なお、設定開度ＳＬ及び設定時間ＳＴは、ＲＡＭ３２ｃに記憶されていて、プログラムの実行によって利用される変数である。また、電動弁１３の前回の開度及び冷水機の前回の作動時間を表すデータ値が不揮発性メモリ３２ｅに記憶されていない場合には、予め決められている初期値が設定開度ＳＬ及び設定時間ＳＴとして設定される。次に、ＣＰＵ３２ａは、表示器３７に、複数の横線からなる待機画像「−−−」を表示することにより、作業者に電動弁１３の開度に対応する設定開度や冷水機を作動させる設定時間を入力することを促す。
【００３１】
前記ステップＳ１４の処理後、ＣＰＵ３２ａは、ステップＳ１６〜Ｓ２２からなる循環処理を実行する。ステップＳ１６においては、アップスイッチ３４ａ又はダウンスイッチ３４ｂが押圧操作されたか否かが判定される。ステップＳ１８においては、タイマスイッチ３５が押圧操作されたか否かが判定される。ステップＳ２０においては、取消スイッチ３６が押圧操作されたか否かが判定される。ステップＳ２２においては、出水止水スイッチ３４が押圧操作されたか否かが判定される。なお、この初期においては、電動弁１３は全閉状態にあり、管１１内には上水は流れていない。アップスイッチ３４ａ、ダウンスイッチ３４ｂ、タイマスイッチ３５、取消スイッチ３６及び出水止水スイッチ３４のいずれのスイッチも押圧操作されなければ、ＣＰＵ３２ａは、Ｓ１６〜Ｓ２２にてそれぞれ「Ｎｏ」と判定して、ステップＳ１６〜Ｓ２２からなる循環処理を繰り返し実行し続ける。
【００３２】
作業者がアップスイッチ３４ａ又はダウンスイッチ３４ｂを押圧操作すると、ＣＰＵ３２ａは、ステップＳ１６にて「Ｙｅｓ」と判定して、ステップＳ２４にて開度設定ルーチンを実行する。開度設定ルーチンは図５に詳細に示されており、その実行がステップＳ２００にて開始される。この実行開始後、ＣＰＵ３２ａは、ステップＳ２０２にて、現在の設定開度ＳＬを表示器３７に点滅表示させる。初期においては、この表示器３７に点滅表示される値は、前記ステップＳ１２にて初期設定された値である。なお、ステップＳ２０２にて点滅表示される値は、ステップＳ１６の判定時にアップスイッチ３４ａを押圧操作していてもダウンスイッチ３４ａを押圧操作していても同じ値である。
【００３３】
また、この表示器３７に点滅表示される値は、図７に示すように、管１１内を通過する水の流量に対応して「１」〜「１０」の１０段階の１つを示す値とする。ここでは、電動弁１３が全閉して流量が０Ｌ／分となる場合に対応する設定開度は「０」としている。なお、前記及び後述する「Ｌ」はリットルである。そして、電動弁１３が最小開度だけ開いて流量が０．９Ｌ／分となる場合に対応する設定開度を「１」として、電動弁１３が全開して流量が８．０Ｌ／分となる場合に対応する設定開度を「１０」とし、設定開度が「１」から「１０」の間で大きくなるほど徐々に実際の電動弁１３の開度が大きくなり、それに従って水の流量も多くなるようにしている。冷水機の作動時には、電動弁１３の開度は、「１」〜「１０」の範囲に設定され、初期値としてはこの範囲のいずれかの値が用いられる。
【００３４】
前記ステップＳ２０２の処理後、ＣＰＵ３２ａは、ステップＳ２０４にて第１タイマをリセット、すなわち第１タイマ値ＴＭ１を「０」に設定する。この第１タイマ値ＴＭ１は、時計回路３２ｄが所定の短時間を計測するごとに実行される図示しないタイマプログラムにより、所定の短時間ごとにカウントアップされて前記リセットからの経過時間を表す。また、後述する第２乃至第８タイマ値ＴＭ２〜ＴＭ８に関しても、詳しい説明は省略するが、前記第１タイマ値ＴＭ１と同様に機能する。
【００３５】
前記ステップＳ２０４の処理後、ＣＰＵ３２ａは、ステップＳ２０６〜Ｓ２１０からなる循環処理を実行する。ステップＳ２０６においては、アップスイッチ３４ａが押圧操作されたか否かが判定される。ステップＳ２０８においては、ダウンスイッチ３４ａが押圧操作されたか否かが判定される。ステップＳ２１０においては、第１タイマ値ＴＭ１が予め決められた所定の短時間ＴＭ１０（例えば、３秒）以上であるか否か、すなわち第１タイマ値ＴＭ１のリセット（すなわち前述したアップスイッチ３４ａ又はダウンスイッチ３４ｂの押圧操作）から所定の短時間ＴＭ１０が経過したか否かが判定される。なお、この所定の短時間ＴＭ１０は、作業者が引き続きアップスイッチ３４ａ又はダウンスイッチ３４ｂを操作する意志があるかどうかを確認するための時間である。アップスイッチ３４ａ及びダウンスイッチ３４ｂも押圧操作されず、第１タイマ値ＴＭ１が前記所定の短時間ＴＭ１０未満であれば、ＣＰＵ３２ａは、ステップＳ２０６〜Ｓ２１０にてそれぞれ「Ｎｏ」と判定して、ステップＳ２０６〜Ｓ２１０からなる循環処理を繰り返し実行し続ける。この間、表示器３７には、ステップＳ２０２で点滅表示された設定開度ＳＬが継続して点滅表示される。
【００３６】
前記ステップＳ２０６〜Ｓ２１０からなる循環処理中、アップスイッチ３４ａが押圧操作されると、ＣＰＵ３２ａは、ステップＳ２０６にて「Ｙｅｓ」と判定して、ステップＳ２１２に進む。ステップＳ２１２においては、設定開度ＳＬが最大設定開度である「１０」に達しているか否かが判定される。設定開度ＳＬが「１０」に達していれば、ＣＰＵ３２ａは、ステップＳ２１２にて「Ｙｅｓ」と判定して、ふたたびステップＳ２０６〜Ｓ２１０からなる循環処理を実行する。一方、設定開度ＳＬが「１０」に達していなければ、ＣＰＵ３２ａは、ステップＳ２１２にて「Ｎｏ」と判定して、ステップＳ２１４にて設定開度ＳＬに「１」を加算する。これにより、電動弁１３の設定開度ＳＬが１段階だけ上昇される。その後、ＣＰＵ３２ａは、ステップＳ２０２に戻り、前述のように、設定開度ＳＬが表示器３７に点滅表示されるように制御する。したがって、表示器３７には、前記１段階だけ上昇された設定開度ＳＬが点滅表示され始める。前記ステップＳ２０２の処理後、前述したステップＳ２０４の処理により、第１タイマ値ＴＭ１がふたたび「０」にリセットされる。これにより、第１タイマ値ＴＭ１は、ふたたび「０」から時間経過に従ってカウントアップされ始める。
【００３７】
また、前記ステップＳ２０６〜Ｓ２１０からなる循環処理中、ダウンスイッチ３４ｂが押圧操作されると、ＣＰＵ３２ａは、ステップＳ２０８にて「Ｙｅｓ」と判定して、ステップＳ２１６に進む。ステップＳ２１６においては、設定開度ＳＬが最小設定開度である「１」に達しているか否かが判定される。設定開度ＳＬが「１」に達していれば、ＣＰＵ３２ａは、ステップＳ２１６にて「Ｙｅｓ」と判定して、ふたたびステップＳ２０６〜Ｓ２１０からなる循環処理を実行する。一方、設定開度ＳＬが「１」に達していなければ、ＣＰＵ３２ａは、ステップＳ２１６にて「Ｎｏ」と判定して、ステップＳ２１８にて設定開度ＳＬから「１」を減算する。これにより、電動弁１３の設定開度ＳＬが１段階だけ下降される。この場合も、その後、ＣＰＵ３２ａは、ステップＳ２０２に戻り、前述のように、設定開度ＳＬが表示器３７に点滅表示されるように制御する。したがって、表示器３７には、前記１段階だけ下降された設定開度ＳＬが点滅表示され始める。前記ステップＳ２０２の処理後、前述したステップＳ２０４の処理により、第１タイマ値ＴＭ１がふたたび「０」にリセットされる。これにより、第１タイマ値ＴＭ１は、ふたたび「０」から時間経過に従ってカウントアップされ始める。
【００３８】
前記のように、ステップＳ２０６〜Ｓ２１０からなる循環処理中、作業者がアップスイッチ３４ａ及びダウンスイッチ３４ｂを押圧操作することにより、設定開度ＳＬが変更される。そして、ステップＳ２０６〜Ｓ２１０からなる循環処理中、アップスイッチ３４ａ又はダウンスイッチ３４ｂの押圧操作から所定の短時間ＴＭ１０（例えば、３秒）が経過すると、ＣＰＵ３２ａは、ステップＳ２１０にて「Ｙｅｓ」すなわち第１タイマ値ＴＭ１が所定の短時間ＴＭ１０以上であると判定して、ステップＳ２２０にてこの開度設定ルーチンの実行を終了する。
【００３９】
この開度設定ルーチンの実行終了後、ＣＰＵ３２ａは、図４Ａのメインプログラムの実行に戻り、ステップＳ２６にて、表示器３７に待機画像「−−−」を表示させる。
【００４０】
また、前記ステップＳ１６〜Ｓ２２の循環処理中、作業者がタイマスイッチ３５を押圧操作すると、ＣＰＵ３２ａは、ステップＳ１８にて「Ｙｅｓ」と判定して、ステップＳ２８にて時間設定フラグをセットする。この時間設定フラグは、作業者が冷水機の運転動作を設定時間ＳＴが経過した後に自動的に停止させるモードを選んだことを表すものである。そして、この時間設定フラグがセットされない（すなわちリセットされている）場合には、出水止水スイッチ３４が操作されるまで冷水機の運転動作が継続する。
【００４１】
前記ステップＳ２８の処理後、ＣＰＵ３２ａは、ステップＳ３０にて時間設定ルーチンを実行する。この時間設定ルーチンは図６に詳細に示されており、その実行がステップＳ３００にて開始される。この実行開始後、ＣＰＵ３２ａは、ステップＳ３０２にて、現在の設定時間ＳＴを表示器３７に点滅表示させる。初期においては、この表示器３７に点滅表示される値は、前記ステップＳ１２にて初期設定された値である。前記ステップＳ３０２の処理後、ＣＰＵ３２ａは、ステップＳ３０４にて第２タイマをリセット、すなわち第２タイマ値ＴＭ２を「０」に設定する。前述のように、この第２タイマ値ＴＭ２も、「０」からカウントアップされ始めて前記リセットからの経過時間を表す。
【００４２】
前記ステップＳ３０４の処理後、ＣＰＵ３２ａは、ステップＳ３０６，Ｓ３０８からなる循環処理を実行する。ステップＳ３０６においては、タイマスイッチ３５が押圧操作されたか否かが判定される。ステップＳ３０８においては、第２タイマ値ＴＭ２が予め決められた所定の短時間ＴＭ２０（例えば、３秒）以上であるか否か、すなわち第２タイマ値ＴＭ２のリセット（すなわち前述したタイマスイッチ３５の押圧操作）から所定の短時間ＴＭ２０が経過したか否かが判定される。なお、この所定の短時間ＴＭ２０は、作業者が引き続きタイマスイッチ３５を操作する意志があるかどうかを確認するための時間である。タイマスイッチ３５が押圧操作されず、第２タイマ値ＴＭ２が前記所定の短時間ＴＭ２０未満であれば、ＣＰＵ３２ａは、ステップＳ３０６，Ｓ３０８にてそれぞれ「Ｎｏ」と判定して、ステップＳ３０６，Ｓ３０８からなる循環処理を繰り返し実行し続ける。この間、表示器３７には、ステップＳ３０２で点滅表示された設定時間ＳＴが継続して点滅表示される。
【００４３】
前記ステップＳ３０６，Ｓ３０８からなる循環処理中、タイマスイッチ３５が押圧操作されると、ＣＰＵ３２ａは、ステップＳ３０６にて「Ｙｅｓ」と判定して、ステップＳ３１０に進む。ステップＳ３１０においては、ＣＰＵ３２ａは設定時間ＳＴを変更する。この設定時間ＳＴの変更においては、例えば５分、１０分、２０分・・・６０分の時間値が、タイマスイッチ３５の押圧操作ごとに前記順に繰り返し選択されて設定時間ＳＴとして順次設定されていく。具体的には、前回の設定時間ＳＴが５分であれば、タイマスイッチ３５の押圧操作時に、設定時間ＳＴは１０分に切り換えられる。前回の設定時間ＳＴが１０分であれば、タイマスイッチ３５の押圧操作時に、設定時間ＳＴは２０分に切り換えられる。前回の設定時間ＳＴが６０分であれば、タイマスイッチ３５の押圧操作時に、設定時間ＳＴは５分に切り換えられる。その後、ＣＰＵ３２ａは、ステップＳ３０２に戻り、前述のように、設定時間ＳＴが表示器３７に点滅表示されるように制御する。したがって、表示器３７には、前記切り換えられた設定時間ＳＴが点滅表示され始める。前記ステップＳ３０２の処理後、前述したステップＳ３０４の処理により、第２タイマ値ＴＭ２がふたたび「０」にリセットされる。これにより、第２タイマ値ＴＭ２は、ふたたび「０」から時間経過に従ってカウントアップされ始める。このように、ステップＳ３０６，Ｓ３０８からなる循環処理中、作業者がタイマ３５を押圧操作することにより、設定時間ＳＴが変更される。
【００４４】
また、前記ステップＳ３０６，Ｓ３０８からなる循環処理中、タイマスイッチ３５の押圧操作から所定の短時間ＴＭ２０（例えば、３秒）が経過すると、ＣＰＵ３２ａは、ステップＳ３０８にて「Ｙｅｓ」すなわち第２タイマ値ＴＭ２が所定の短時間ＴＭ２０以上であると判定して、ステップＳ３１２にてこの時間設定ルーチンの実行を終了する。
【００４５】
この時間設定ルーチンの実行終了後、ＣＰＵ３２ａは、図４Ａのメインプログラムの実行に戻り、ステップＳ３２にて、表示器３７に待機画像「−−−」を表示させる。
【００４６】
また、前記ステップＳ１６〜Ｓ２２の循環処理中、作業者が取消スイッチ３６を押圧操作すると、ＣＰＵ３２ａは、ステップＳ２０にて「Ｙｅｓ」と判定して、ステップＳ３４にて時間設定フラグをリセットする。これにより、前記ステップＳ２８にて時間設定フラグがセットされても、取消スイッチ３６の押圧操作により、時間設定フラグはふたたびリセットされる。
【００４７】
また、前記ステップＳ１６〜Ｓ２２の循環処理中、作業者が出水止水スイッチ３４を押圧操作すると、ＣＰＵ３２ａは、ステップＳ２２にて「Ｙｅｓ」と判定して、ステップＳ３６にて電動弁１３を設定開度ＳＬまで開かせる。この場合、ＣＰＵ３２ａは、設定開度ＳＬに対応した開度制御データをＲＯＭ３２ｂ又は不揮発性メモリ３２ｅ内の開度制御データテーブルから読み出して、前記読み出した開度制御データに応じて電動弁１３の開度を設定制御する。電動弁１３の開度が設定開度ＳＬに設定されると、管１１内には水道管４０を介した上水が流れ込み始める。この場合、管１１に流れる水の流量は、設定開度ＳＬに依存する。すなわち、設定開度ＳＬが大きければ、管１１内を流れて出水口部１１ａを介して外部に取出される水の流量は大きい（図７参照）。一方、設定開度ＳＬが小さければ、管１１内を流れて出水口部１１ａを介して外部に取出される水の流量は小さい。
【００４８】
また、水道管４０から管１１内に流れる水は、管１１内の上流側部分で、減圧弁１２によって減圧されることで、流量が安定する。すなわち、水道管４０を流れる水の圧力は、管１１から離れた部分では最低圧が２００〜３００ｋＰａであるが、末端（管１１付近）では１００ｋＰａ以下になることがある。このため、管１１内の上流側部分では、例えば、図８に示したように、時間とともに水圧が変動する。本実施形態では、冷水機の使用範囲での最大流量を確保するために必要な最低限の圧力を５０ｋＰａとして、減圧弁１２によって減圧弁１２の直後の水圧が５０ｋＰａに安定するようにしている。
【００４９】
前記ステップＳ３６の処理後、ＣＰＵ３２ａは、ステップＳ３８にて第３タイマをリセット、すなわち第３タイマ値ＴＭ３を「０」に設定する。前述のように、この第３タイマ値ＴＭ３も、「０」からカウントアップされ始めて前記リセットからの経過時間を表す。次に、ＣＰＵ３２ａは、ステップＳ４０にて、時間設定フラグを参照して、時間設定がされているか否かを判定する。前記ステップＳ２８の処理によって時間設定フラグがセットされていて、時間設定有りであれば、ＣＰＵ３２ａは、ステップＳ４０にて「Ｙｅｓ」と判定して、ステップＳ４２にてタイマランプ３８ｂを点灯させて、ステップＳ４４に進む。また、初期状態又は前記ステップＳ３４の処理によって時間設定フラグがリセットされていて、時間設定有りでなければ、ＣＰＵ３２ａは、ステップＳ４０にて「Ｎｏ」と判定して、ステップＳ４４にてタイマランプ３８ｂを消灯させる。
【００５０】
前記ステップＳ４２，Ｓ４４の処理後、ＣＰＵ３２ａは、ステップＳ４６にて、流量センサ１６によって検出された流量Ｆを入力して、入力した流量Ｆが予め決められた所定の小さな流量Ｆ０以上であるかを判定する。この流量Ｆ０は、図７に示した設定開度が「１」のときの流量０．９Ｌ／分よりも小さく、例えば０．７Ｌ／分である。したがって、検出流量Ｆが、流量Ｆ０未満であれば、断水等により水道管４０からの給水が途絶えたり、電動弁１３に異常が生じたりして、設定開度ＳＬに応じた給水が行われていないものと判断する。この場合、給水の流量は正常であって、流量Ｆが流量Ｆ０（０．７Ｌ／分）以上であれば、ＣＰＵ３２ａは、ステップＳ４６にて「Ｙｅｓ」と判定して、ステップＳ４８にて温度センサ１５から冷水温度Ｔ２を入力して、入力した冷水温度Ｔ２を表示器３７に表示させる。
【００５１】
前記ステップＳ４８の処理後、ＣＰＵ３２ａは、ステップＳ５０にて、温度センサ１４によって検出された給水温度Ｔ１を入力して、入力した給水温度Ｔ１が予め決められた所定の低温Ｔ１０以上であるかを判定する。この所定の低温Ｔ１０は、供給される上水を冷却する必要があるか否かを判断する温度であり、例えばそれよりも低い場合には上水を冷却する必要ない８℃に設定されている。
【００５２】
図９に、冷水機の運転例として、季節ごとの給水温度における、冷水温度に対する設定開度を示している。図９によれば、給水温度は、夏季であれば２６℃、春秋季であれば１８℃、冬季であれば１０℃程度である。そして、夏季であれば、設定開度を「１」にすれば冷水温度は６．３℃まで下がるが、設定開度を「１０」にすると冷水温度は２３．３℃までしか下がらない。また、冬季であれば、設定開度を「８」にすれば冷水温度は４．７℃まで下がり、設定開度を「１０」にしても冷水温度は７．１℃まで下がる。そして、春秋季であれば、設定開度を「４」にすれば冷水温度は５．２℃まで下がり、設定開度を「１０」にすると冷水温度は１５．１℃まで下がる。このような状態であるため、例えば、冬季においては、給水温度が８℃未満で給水を冷却する必要がない場合や、冷水機の作動開始からすぐに、水温が８℃未満になってその状態が続く場合もあり、このような場合には、冷水機を作動させなかったり、作動を停止させたりして、水道からの水を直接用いてもよい。
【００５３】
給水温度Ｔ１が所定の低温Ｔ１０（例えば、８℃）以上であれば、ＣＰＵ３２ａは、ステップＳ５０にて「Ｙｅｓ」と判定して、ステップＳ５２〜Ｓ５６の処理を実行する。ステップＳ５２においては、ＣＰＵ３２ａは、駆動回路３３を介して圧縮機２１の作動を開始させる。これによって、圧縮機２１の電動モータは一定の速度で駆動され、管１１内の給水は、熱交換器５０内を通過する間に冷却される。ステップＳ５４においては、ＣＰＵ３２ａは、冷却ランプ３８ａを点灯させる。これによって、冷水機が冷却運転中であることが示される。ステップＳ５６においては、ＣＰＵ３２ａは、第４タイマをリセット、すなわち第４タイマ値ＴＭ４を「０」に設定する。これにより、この第４タイマ値ＴＭ４も、「０」からカウントアップされ始めて、前記リセットからの経過時間すなわち冷水機の冷却運転開始からの時間を表す。
【００５４】
一方、流量センサ１６によって検出された流量Ｆが流量Ｆ０（０．７Ｌ／分）未満であれば、ＣＰＵ３２ａは、ステップＳ４６にて「Ｎｏ」と判定して、ステップＳ５８にて、第３タイマ値ＴＭ３が予め決められた所定の小さな時間ＴＭ３０（例えば、５秒）以上であるか、すなわち電動弁１３を設定開度ＳＬまで開いてから前記所定の小さな時間ＴＭ３０が経過したか否かを判定する。この場合、第３タイマ値ＴＭ３が前記所定の小さな時間ＴＭ３０未満であれば、ＣＰＵ３２ａは、ステップＳ５８にて「Ｎｏ」と判定してステップＳ４６，Ｓ５８からなる循環処理を繰り返し実行する。そして、この循環処理中にも、流量センサ１６によって検出された流量Ｆが一旦流量Ｆ０以上になれば、ＣＰＵ３２ａは、ステップＳ４６にて「Ｙｅｓ」と判定してステップＳ４８以降に進む。これに対して、流量センサ１６によって検出された流量Ｆが流量Ｆ０未満である状態が前記所定の短い時間ＴＭ３０以上続くと、ＣＰＵ３２ａは、ステップＳ５８にて「Ｙｅｓ」と判定し、ステップＳ６０，Ｓ６２の処理を実行して、図４ＢのステップＳ１０２にてこのメインプログラムの実行を終了する。
【００５５】
ステップＳ６０においては、ＣＰＵ３２ａは、表示器３７にエラー表示として、「Ｅ１」を表示させる。この「Ｅ１」は、断水等により水道管４０からの給水が途絶えたり、電動弁１３に異常が生じたりしている状態を示している。これにより、作業者は、冷水機の前記異常を認識できる。ステップＳ６２においては、ＣＰＵ３２ａは、電動弁１３を全閉状態に制御する。これにより、冷水機の作動は停止する。
【００５６】
また、ステップＳ５０の判定処理の際、温度センサ１４によって検出された給水温度Ｔ１が所定の低温Ｔ１０（８℃）未満であると、ＣＰＵ３２ａは、ステップＳ５０にて「Ｎｏ」と判定して、ステップＳ６４にて、第３タイマ値ＴＭ３が予め決められた所定時間ＴＭ３１（例えば、６０秒）以上であるか、すなわち電動弁１３を設定開度ＳＬまで開いてから前記所定時間ＴＭ３１が経過したか否かを判定する。この所定時間ＴＭ３１は、外部からの給水の温度が充分に安定して検出される時間に設定されている。第３タイマ値ＴＭ３が前記所定時間ＴＭ３１未満であれば、ＣＰＵ３２ａは、ステップＳ６４にて「Ｎｏ」と判定してステップＳ５０，Ｓ６４からなる循環処理を繰り返し実行する。そして、この循環処理中にも、温度センサ１４によって検出された温度Ｔ１が一旦前記所定の低温Ｔ１０以上になれば、ＣＰＵ３２ａは、ステップＳ５０にて「Ｙｅｓ」と判定してステップＳ５２以降に進む。これに対して、温度センサ１４によって検出された温度Ｔ１が前記所定の低温Ｔ１０未満である状態が前記所定時間ＴＭ３１以上続くと、ＣＰＵ３２ａは、ステップＳ６４にて「Ｙｅｓ」と判定し、ステップＳ６６，Ｓ６２の処理を実行して、図４ＢのステップＳ１０２にてこのメインプログラムの実行を終了する。
【００５７】
ステップＳ６６においては、ＣＰＵ３２ａは、表示器３７に「冷却の必要ない」旨を表示させる。これは、水道管４０から供給される上水の温度が充分に低いことを作業者に知らせるためである。言い換えれば、作業者に冷水機を使用することなく、水道管４０から供給される上水を直接使用することを薦めるためである。ステップＳ６２においては、前述したとおり、ＣＰＵ３２ａは、電動弁１３を全閉状態に制御して、冷水機の作動を停止させる。
【００５８】
前記ステップＳ５６の処理後、ＣＰＵ３２ａは、図４ＢのステップＳ６８〜Ｓ７２及び図４ＣのステップＳ７４〜Ｓ８０からなる循環処理を繰り返し実行する。ステップＳ６８においては、ＣＰＵ３２ａは、温度センサ１５によって検出された冷水温度Ｔ２を入力して表示器３７に表示する。ステップＳ７０においては、ＣＰＵ３２ａは、温度センサ１５によって検出された冷水温度Ｔ２を入力して、入力した冷水温度Ｔ２が所定の低温Ｔ２０未満であるかを判定する。この所定の低温Ｔ２０は、これ以上の冷却が必要されないと同時に、これ以上冷却を続けると冷水機に異常が発生する虞がある温度であり、例えば５℃である。ステップＳ７２においては、ＣＰＵ３２ａは、流量センサ１６によって検出された流量Ｆを入力して、入力した流量Ｆが前述した所定の小さな流量Ｆ０（０．７Ｌ／分）未満であるかを判定する。
【００５９】
ステップＳ７４においては、ＣＰＵ３２ａは、アップスイッチ３４ａ又はダウンスイッチ３４ｂが押圧操作されたか否かを判定する。ステップＳ７６においては、時間設定有りか否か、すなわち時間設定フラグがセットされているかリセットされているかを判定する。今、前述したステップＳ２８の処理によって時間設定フラグがセットされていれば、ＣＰＵ３２ａは、ステップＳ７６にて「Ｙｅｓ」と判定して、ステップＳ７８に進む。ステップＳ７８においては、第４タイマ値ＴＭ４が設定時間ＳＴ以上であるか否か、すなわち冷却運転の開始から設定時間ＳＴが経過したか否かを判定する。冷却運転の開始から設定時間ＳＴが経過していなければ、ＣＰＵ３２ａは、ステップＳ７８にて「Ｎｏ」と判定して、ステップＳ８０に進む。また、時間設定フラグがセットされていなければ、ＣＰＵ３２ａは、ステップＳ７６にて「Ｎｏ」と判定して、ステップＳ８０に進む。ステップＳ８０においては、ＣＰＵ３２ａは、出水止水スイッチ３４が押圧操作されたか否かを判定する。
【００６０】
現在、冷水温度Ｔ２が所定の低温Ｔ２０（５℃）未満でなく、流量Ｆが所定の小さな流量Ｆ０（０．７Ｌ／分）未満でなく、アップスイッチ３４ａ又はダウンスイッチ３４ｂが押圧操作されることなく、時間設定がなく又は時間設定があっても第４タイマ値ＴＭ４が設定時間ＳＴに達することなく、かつ出水止水スイッチ３４が押圧操作されなければ、ステップＳ７０〜Ｓ８０にてそれぞれ「Ｎｏ」と判定されて、ＣＰＵ３２ａは、ステップＳ６８〜Ｓ８０の循環処理を実行し続ける。この状態では、ステップＳ２４，Ｓ３６の処理によって電動弁１３の開度が設定開度ＳＬに設定された状態で、ステップＳ５２の処理によって圧縮機２１の作動が開始されて、冷水機は、水道管４０を介して供給される上水を冷却して管１１の出水口部１１ａからシンクＳに供給し続ける。そして、この場合、ステップＳ６８の処理によって、温度センサ１５によって時間経過に従って検出される冷水温度Ｔ２が表示器３７に表示され続ける。
【００６１】
前記ステップＳ６８〜Ｓ８０の循環処理中、冷水温度Ｔ２が所定の低温Ｔ２０（５℃）未満になると、ＣＰＵ３２ａは、ステップＳ７０にて「Ｙｅｓ」と判定してステップＳ８２に進む。ステップＳ８２においては、ＣＰＵ３２ａは、設定開度ＳＬに「１」を加算することにより設定開度ＳＬを１段階大きくし、電動弁１３の開度を前記１段階大きくした設定開度ＳＴに設定制御する。この場合も、ＣＰＵ３２ａは、設定開度ＳＬに対応した開度制御データをＲＯＭ３２ｂ又は不揮発性メモリ３２ｅ内の開度制御データテーブルから読み出して、読み出した開度制御データに応じて電動弁１３の開度を制御する。次に、ＣＰＵ３２ａは、ステップＳ８４にて、第５タイマをリセットすなわち第５タイマ値ＴＭ５を「０」に設定し、ステップＳ８６，Ｓ８８からなる循環処理を実行する。
【００６２】
ステップＳ８６においては、ＣＰＵ３２ａは、温度センサ１５によって検出された冷水温度Ｔ２を入力して、入力した冷水温度Ｔ２が前記所定の低温Ｔ２０（５℃）以上であるか否かを判定する。ステップＳ８８においては、ＣＰＵ３２ａは、第５タイマ値ＴＭが所定の時間Ｔ５０（例えば、１０秒）以上であるか否か、すなわち前記ステップＳ８２による電動弁１３の開度の設定制御後に所定の時間Ｔ５０が経過したか否かを判定する。このステップＳ８６，Ｓ８８からなる循環処理中、冷水温度Ｔ２が前記所定の低温Ｔ２０（５℃）以上になれば、ＣＰＵ３２ａは、ステップＳ８６にて「Ｙｅｓ」と判定して、前記ステップＳ６８〜Ｓ８０の循環処理に戻る。これは、冷水温度Ｔ２が低くなり過ぎた場合に、電動弁１３の設定開度ＳＬが自動的に増加されて。給水量の増加により、冷水温度Ｔ２が若干上昇したいことを意味する。その結果、冷水温度Ｔ２が低くなり過ぎて、冷水機に支障が生じることが自動的に防止される。
【００６３】
一方、電動弁１３の設定開度ＳＬを１段階大きくしてから所定の時間Ｔ１０（１０秒）が経過しても、冷水温度Ｔ２が前記所定の低温Ｔ２０以上にならない場合、前記ステップＳ８６，Ｓ８８からなる循環処理中、ＣＰＵ３２ａはステップＳ８８にて「Ｙｅｓ」と判定して、ステップＳ９０以降に進む。ステップＳ９０においては、ＣＰＵ３２ａは、表示器３７にエラー表示として、「Ｅ２」を表示させる。この「Ｅ２」は、電動弁１３に異常が生じて開度が切り換えらなかったなどの異常により給水温度Ｔ２が上昇しなかった状態を示している。これにより、作業者は、冷水機の前記異常を認識できる。
【００６４】
前記ステップＳ９０の処理後、ＣＰＵ３２ａは、ステップＳ９２にて駆動回路３３を介して圧縮機２１の作動を停止させ、ステップＳ９４にて冷却ランプ３８ａを消灯させる。次に、ＣＰＵ３２ａは、ステップＳ９６にて、第６タイマをリセットすなわち第６タイマ値ＴＭ６を「０」に設定する。そして、ＣＰＵ３２ａは、ステップＳ９８にて、第６タイマ値ＴＭ６が予め定めた所定時間ＴＭ６０（例えば、３秒）以上になるまで「Ｎｏ」と判定して、第６タイマ値ＴＭ６が予め定めた所定時間ＴＭ６０に達するまで待つ。そして、第６タイマ値ＴＭ６が予め定めた所定時間ＴＭ６０以上になると、ＣＰＵ３２ａは、ステップＳ９８にて「Ｙｅｓ」と判定して、ステップＳ１００にて電動弁１３を全閉状態に設定して、ステップＳ１０２にてこのメインプログラムの実行を終了する。
【００６５】
前記ステップＳ６８〜Ｓ８０の循環処理中、管１１内を流れる流量が減少して、流量センサ１６によって検出された流量Ｆが所定の小さな流量Ｆ０（０．７Ｌ／分）未満になると、ＣＰＵ３２ａは、ステップＳ７２にて「Ｙｅｓ」と判定してステップＳ１０４に進む。ステップＳ１０４においては、ＣＰＵ３２ａは、第７タイマをリセットすなわち第７タイマ値ＴＭ７を「０」に設定する。そして、ＣＰＵ３２ａは、ステップＳ１０６，Ｓ１０８からなる循環処理を実行する。
【００６６】
ステップＳ１０６においては、ＣＰＵ３２ａは、流量センサ１６によって検出された流量Ｆを入力して、入力した流量Ｆが所定の小さな流量Ｆ０（０．７Ｌ／分）未満であるか否かを判定する。ステップＳ１０８においては、ＣＰＵ３２ａは、第７タイマ値ＴＭが所定の短時間Ｔ７０（例えば、２秒）以上であるか否か、すなわち前記ステップＳ１０４による第７タイマのリッセトから所定の短時間Ｔ７０が経過したか否かを判定する。このステップＳ１０６，Ｓ１０８からなる循環処理中、流量センサ１６によって検出された流量Ｆが所定の小さな流量Ｆ０（０．７Ｌ／分）以上になると、ＣＰＵ３２ａは、ステップＳ１０６にて「Ｎｏ」と判定して、前記ステップＳ６８〜Ｓ８０からなる循環処理に戻る。これは、何らかの理由で流量Ｆ０未満になったが、その後、自動的に冷水機の流量Ｆが正常に戻ったことを意味する。したがって、この場合には、冷水機は前述した冷却運転を続行し続ける。
【００６７】
一方、流量センサ１６によって検出された流量Ｆが所定の小さな流量Ｆ０（０．７Ｌ／分）未満である状態が、所定の短時間Ｔ７０（２秒）以上継続すると、ステップＳ１０６，Ｓ１０８からなる循環処理中、ＣＰＵ３２ａは、ステップＳ１０８にて「Ｙｅｓ」、すなわち第７タイマ値ＴＭ７は所定の短時間Ｔ７０以上であると判定して、ステップＳ１１０に進む。ステップＳ１１０においては、ＣＰＵ３２ａは、前述したステップＳ６０と同様に、表示器３７にエラーＥ１を表示させる。このステップＳ１１０の処理後、ＣＰＵ３２ａは、前述したステップＳ９２〜Ｓ１００の処理を実行して、圧縮器２１の作動を停止し、冷却ランプ３８ａを消灯し、かつ電動弁１３の開度を全閉状態に設定して、ステップＳ１０２にてメインプログラムの実行を終了する。
【００６８】
前記ステップＳ６８〜Ｓ８０の循環処理中、アップスイッチ３４ａ又はダウンスイッチ３４ｂが押圧操作されると、ＣＰＵ３２ａは、ステップＳ７４にて「Ｙｅｓ」と判定して、ステップＳ１１２にて前述した図５の開度設定ルーチンを実行する。この開度設定ルーチンの実行により、作業者によるアップスイッチ３４ａ又はダウンスイッチ３４ｂの押圧操作により、電動弁１３の設定開度ＳＬが変更される。前記ステップＳ１１２の開度設定ルーチンの実行後、ＣＰＵ３２ａは、ステップＳ１１４にて、電動弁１３の開度を前記設定した設定開度ＳＬに設定制御する。この場合も、前記設定開度ＳＬに対応した開度制御データをＲＯＭ３２ｂ又は不揮発性メモリ３２ｅ内の開度制御データテーブルから読み出して、読み出した開度制御データを用いて電動弁１３の開度を開度制御データに応じた設定開度ＳＬに制御する。このステップＳ１１４の処理後、ＣＰＵ３２ａは、前記ステップＳ６８〜Ｓ８０の循環処理に戻ってこの循環処理を実行し続ける。
【００６９】
前記ステップＳ６８〜Ｓ８０の循環処理中、時間設定有り（すなわち、時間設定フラグがセットされており）、かつ第４タイマ値ＴＭ４が設定時間ＳＴに達すると（すなわち、冷水機の運転開始から設定時間ＳＴが経過すると）、制御回路７８にてステップＳ７６，Ｓ７８にて共に「Ｙｅｓ」と判定して、ステップＳ１１６にタイマランプ３８ｂを消灯させ、ステップＳ１１８に進む。また、前記ステップＳ６８〜Ｓ８０の循環処理中、出水止水スイッチ３４が押圧操作されると、ＣＰＵ３２ａは、ステップＳ８０にて「Ｙｅｓ」と判定して、ステップＳ１１８に進む。ステップＳ１１８においては、ＣＰＵ３２ａは、駆動回路３３を介して圧縮機２１の作動を停止させる。そして、ＣＰＵ３２ａは、ステップＳ１２０にて冷却ランプ３８ａを消灯させ、ステップＳ１２２にて表示器３７に待機画像「−−−」を表示させる。
【００７０】
次に、ＣＰＵ３２ａは、ステップＳ１２４にて、第８タイマをリセットすなわち第８タイマ値ＴＭ８を「０」に設定する。そして、ＣＰＵ３２ａは、ステップＳ１２６にて、第８タイマ値ＴＭ８が予め定めた所定時間ＴＭ８０（例えば、３秒）以上になるまで「Ｎｏ」と判定して、第８タイマ値ＴＭ８が予め定めた所定時間ＴＭ８０に達するまで待つ。そして、第８タイマ値ＴＭ８が予め定めた所定時間ＴＭ８０以上になると、ＣＰＵ３２ａは、ステップＳ１２６にて「Ｙｅｓ」と判定して、ステップＳ１２８にて電動弁１３を全閉状態に設定する。その後、ＣＰＵ３２ａは、ステップＳ１３０にて、ＲＡＭ３２ｃに記憶されている現在の設定開度ＳＬ及び設定時間ＳＴを、不揮発性メモリ３２ｅに前回開度及び前回時間として記憶しておく。この不揮発性メモリ３２ｅへの記憶により、次回の冷水機の作動開始時に前回の冷水機の作動終了時の設定開度ＳＬ及び設定時間ＳＴが利用可能となる。
【００７１】
前記ステップＳ１３０の処理後、ＣＰＵ３２ａは、図４Ａのステップ１６に戻り、前述したステップＳ１６〜Ｓ２２からなる循環処理がふたたび実行される。これにより、冷水機の出水動作は一旦停止するが、ステップＳ１６〜Ｓ２２からなる循環処理により、設定開度ＳＬ、設定時間ＳＴ及び時間設定フラグが変更されるとともに、冷水機の出水動作も再開される。なお、このステップＳ１６〜Ｓ２２からなる循環処理中、図示しない電源スイッチがオフされれば、冷水機の作動は完全に停止する。また、電動弁１３の開度の設定時には、作業者は、図９に示した表を参考として、設定時間ＳＬを設定することにより、季節に応じて、冷水温度Ｔ２に対応した開度を設定することができる。そして、前述した処理により、冷水機のシンクＳには、適度に冷却された冷水が溜まり、溢れた冷水は、放出口１９から外部に放出される。このため、作業者は、シンクＳ内の冷水を用いて、各種の食品を冷却したり、洗浄したりすることができる。
【００７２】
上述のように、上記実施形態による冷水機では、出水止水スイッチ３４を操作することにより電動弁１３を設定開度ＳＬまで開いた状態で、温度センサ１４によって検出された給水温度Ｔ１が所定の低温Ｔ１（８℃）以上で、かつ流量センサ１６によって検出された検出流量Ｆが所定の小さな流量（０．７Ｌ／分）以上であることを条件に、圧縮機２１を作動させて冷却運転が開始され、管１１内を通る水が冷却される。そして、この水の冷却は、再度、出水止水スイッチ３４を操作したときか、又はタイマスイッチ３５により時間を設定した場合には、その設定時間ＳＴが経過した後に停止する。
【００７３】
そして、上記実施形態による冷水機においては、作業者によるアップスイッチ３４ａ又ダウンスイッチ３４ｂの操作に応じて、ステップＳ２４及びステップＳ１１２の開度設定ルーチンの実行により、電動弁１３の開度が予め決められた不連続な複数段階の開度のうちのいずれか一つの開度ＳＬに設定される。そして、ステップＳ３６，Ｓ１１４の開度設定制御処理により、前記設定開度ＳＬに対応した開度制御データを用いて、電動弁１３の開度が前記設定開度ＳＬに設定制御される。これにより、作業者は、電動弁１３の開度を大きくしたり小さくしたりすることができる。また、アップスイッチ３４ａ又ダウンスイッチ３４ｂを用いて行われる開度の段階的な設定は、電動弁１３すなわち管１１内を通過する水の流量を段階的に変更することを意味する。したがって、冷水温度を上昇させるときには、電動弁１３の開度を大きくし、冷水温度を下降させるときには、電動弁１３の開度を小さくする。このため、例えば、電動弁１３の開度を水の流量に対応させて１０段階に区分して、各段階を１〜１０の数値で示し、アップスイッチ３４ａ又ダウンスイッチ３４ｂを用いて開度を各段階を示す数値に設定すると、管１１内を通過する水の流量は、略その数値が示す開度に応じた量になる。
【００７４】
このように動作する上記実施形態に係る冷水機によれば、簡単な操作で、好適な温度の冷水を取り出すことができる。また、管１１における電動弁１３の上流側には、減圧弁１２が設けられており、この減圧弁１２によって水路４０から供給される水の圧力は減圧弁１２の下流側で所定の低圧に安定する。このため、電動弁１３は、安定した圧力で送られてくる水の流量を的確かつ段階的に調整することができるようになり、水温の調整が簡単かつ的確にできるようになる。また、電動弁１３の開度の調整は開度制御データを用いて段階的に行われるため、電動弁１３の開度設定制御が簡単になり、冷水機が安価につく。
【００７５】
また、上記実施形態に係る冷水機によれば、温度センサ１５によって検出された冷水温度Ｔ２が所定の低温Ｔ２０（５℃）未満になったとき、ステップＳ７０，Ｓ８２の処理により、電動弁１３の開度が１段階大きい側に変更される。管１１内を流れる冷水の冷水温度Ｔ２が低下して所定の低温Ｔ２０未満になっても、作業者が気付かずにアップスイッチ３２ａを操作しない場合もある。このようなときに、電動弁１３の開度が１段階大きい側に変更されるので、水の流量が多くなって冷水温度Ｔ２が上昇する。これにより、冷水温度Ｔ２が低くなり過ぎて、冷水機に支障が生じることを自動的に防止できる。
【００７６】
また、上記実施形態に係る冷水機によれば、前記ステップＳ７０，Ｓ８２の処理によって電動弁１３の開度が１段階大きい側に設定された後に、所定の時間（１０秒）が経過しても、温度センサ１５によって検出された冷水温度Ｔ２が所定の低温Ｔ２０から上昇しないとき、ステップＳＳ８６，Ｓ８８，Ｓ９２，Ｓ１００の処理により、冷水機の作動が停止される。このように冷水温度Ｔ２が所定の低温Ｔ２０から上昇しないことは、電動弁１３に故障が生じたり、水路４０に断水が生じたりして、電動弁１３の設定開度に応じた水の供給ができなくなった場合に生じるものである。そして、このような場合に、冷水機の作動が停止されるので、冷水機に異常が発生したまま冷水機が作動し続けことを防止できる。
【００７７】
また、上記実施形態に係る冷水機によれば、冷水機の通常の冷却動作時には、ステップＳ６８の処理により、温度センサ１５によって検出された冷水温度Ｔ２が表示器３７に継続的に表示される。一方、アップスイッチ３４ａ又ダウンスイッチ３４ｂの操作によって電動弁１３の開度が設定されているステップＳ２４，Ｓ１１２の開度設定ルーチンの実行時には、ステップＳ２０２の処理により、表示器３７に、冷水温度Ｔ２に代えて電動弁１３の開度が表示される。したがって、作業者は、冷水機の作動中に、表示器３７を見ることにより、冷水機の冷水温度Ｔ２を確認することができる。また、アップスイッチ３４ａ又ダウンスイッチ３４ｂの操作によって電動弁１３の開度を設定しているときには、表示器３７を見ることにより、電動弁１３の開度も確認できる。これにより、冷水温度Ｔ２を確認したうえで、電動弁１３の開度を見ながらアップスイッチ３４ａ又ダウンスイッチ３４ｂを操作することができ、電動弁１３の開度の設定操作がし易くなる。
【００７８】
また、上記実施形態に係る冷水機によれば、温度センサ１４によって検出された給水温度Ｔ１が所定の低温Ｔ１０（８℃）未満であるとき、ステップＳ５０，Ｓ６２の処理により、冷水機の作動が停止される。したがって、水路４０から供給される水の温度が十分に低温で冷却する必要がない場合には、冷水機の作動が停止されることになる。これにより、作業者は、冷水機を不必要に作動させることなく、水路から直接水を取り込んで使用することができるようになる。
【００７９】
また、上記実施形態に係る冷水機によれば、流量センサ１６によって検出された水の流量Ｆが所定の小さな流量Ｆ０（０．７Ｌ／分）未満であるとき、ステップＳ４６，Ｓ６２、Ｓ７２，Ｓ９２，Ｓ１００の処理により、冷水機の作動が停止される。管１１内を流れる水の流量Ｆが所定の小さな流量Ｆ０未満になることは、電動弁１３に故障が生じたり、水路４０に断水が生じたりして、設定開度に応じた水の供給ができなくなった場合に生じる。したがって、このような異常が冷水機に発生した場合にも、冷水機の作動が停止されるので、冷水機に異常が発生したまま冷水機が作動し続けることを防止できる。
【００８０】
また、上記実施形態に係る冷水機によれば、アップスイッチ３４ａ又ダウンスイッチ３４ｂの操作により設定された設定開度ＳＬは、ステップＳ１３０の処理により、冷水機の作動停止後も不揮発性メモリ３２ｅに前回開度として記憶され、冷水機の新たな作動開始時には、ステップＳ１２の処理により読み出されて利用される。したがって、冷水機を新たに作動させる度に、アップスイッチ３４ａ又ダウンスイッチ３４ｂを操作して電動弁１３の開度を初期値から変更させて設定しなくても、前回作動させた条件又は前回作動させた条件と近い条件で、冷水機を再度簡単に作動させ易くなり、電動弁１３の開度の設定操作が簡単になる。
【００８１】
また、上記実施形態に係る冷水機によれば、ステップＳ３０の時間設定ルーチンの実行により、冷水機の作動時間がタイマスイッチ３５の操作に応じて設定時間ＳＴとして設定される。そして、冷水機の作動開始から設定時間ＳＴが経過すると、ステップＳ７８，Ｓ１１８，Ｓ１２８の処理により、冷水機は自動的に停止される。また、この設定開度ＳＬは、ステップＳ１３０の処理により、冷水機の作動停止後も不揮発性メモリ３２ｅに前回時間として記憶され、冷水機の新たな作動開始時には、ステップＳ１２の処理により読み出されて利用される。したがって、冷水機を新たに作動させる度に、タイマスイッチ３５を操作して冷水機の作動時間を初期値から変更させて設定しなくても、前回作動させた条件又は前回作動させた条件と近い条件で、冷水機を再度簡単に作動させ易くなり、冷水機の作動時間の設定操作が簡単になる。
【００８２】
なお、本発明の実施にあたっては、上記実施形態に限定されるものではなく、本発明の目的を逸脱しない限りにおいて種々の変更が可能である。
【００８３】
上記実施形態においては、給水温度Ｔ１、冷水温度Ｔ２及び流量Ｆと比較される所定値Ｔ１０，Ｔ２０，Ｆ０、及び第１乃至第８タイマ値ＴＭ１〜ＴＭ８と比較される所定値ＴＭ１０〜ＴＭ８０，ＴＭ３１の具体的な値を例示した。しかし、これらの具体的な値はあくまでも、例示的な値であり、冷水機の構成、冷水機の周囲の環境、冷水機の用途等により若干変更されるものである。特に、ステップＳ８６にて冷水温度Ｔ２と比較される所定値Ｔ２０は、電動弁１３の開度を大きくした後に、冷水温度Ｔ２が上昇したことを検出するもので、上記実施形態で例示した値５℃より若干大きいことは充分に考えられることである。
【００８４】
上記実施形態において、表示器３７に設定開度ＳＬ及び設定時間ＳＴを表示する際には、ステップＳ２０２，Ｓ３０２の処理により点滅表示にした。しかし、これは表示器３７における冷水温度Ｔ２との表示態様を異ならせるものであり、前記点滅表示に代えて、設定開度ＳＬ及び設定時間ＳＴの表示色を、冷水温度Ｔ２の表示色と異ならせるようにしてもよい。また、設定開度ＳＬ及び設定時間ＳＴの表示における明度、大きさ、形状などを、冷水温度Ｔ２の表示における明度、大きさ、形状などと異ならせるようにしてもよい。
【００８５】
上記実施形態において、ステップＳ６８〜Ｓ８０からなる循環処理中すなわち冷水機の冷却運転動作中、電動弁１３の設定開度ＳＬを変更することは可能であるが、設定時間ＳＴに従った動作モードと従わない動作モードとの間で冷水機の動作モードを変更すること、及び設定時間ＳＴを変更することは可能ではない。しかし、これに代えて、前記冷水機の冷却運転動作中であっても、前記冷水機の動作モードを変更すること、及び設定時間ＳＴを変更することを可能とすることもできる。この場合、図４ＡのステップＳ１８，Ｓ２０，Ｓ２８〜Ｓ３４の処理を、前記ステップＳ６８〜Ｓ８０の循環処理に追加するとよい。
【符号の説明】
【００８６】
１１…管、１２…減圧弁、１３…電動弁、１４，１５…温度センサ、１６…流量センサ、２０…冷凍回路、２１…圧縮機、２４…蒸発器、３０…電気制御装置、３２…制御回路、３４…出水止水スイッチ、３４ａ…アップスイッチ、３４ｂ…ダウンスイッチ、３５…タイマスイッチ、３７…表示器、４０…水道管。
【図１】
0005466035.tif 000002
【図２】
0005466035.tif 000003
【図３】
0005466035.tif 000004
【図４Ａ】
0005466035.tif 000005
【図４Ｂ】
0005466035.tif 000006
【図４Ｃ】
0005466035.tif 000007
【図５】
0005466035.tif 000008
【図６】
0005466035.tif 000009
【図７】
0005466035.tif 000010
【図８】
0005466035.tif 000011
【図９】
0005466035.tif 000012